(57)【要約】【課題】小型で手貼りに適しており、連続して素早く剥がして物品に貼り付けることが出来、物品等に貼り付けた後、摩擦などで簡単にめくれて剥がれることがない手貼り用ラベル積層体を提供すること。【解決手段】所定の事項が記載された表面には剥離層が設けられ、裏面にはその全面に粘着層が設けられた、同形状のラベルが複数積層されて構成されるラベル積層体であって、各ラベルは、粘着される下層のラベルに対して、表面積の５％以下の範囲ではみ出して配置され、積層体は同方向に当該配置が繰り返されて構成されており、最上層のラベルの一端は最下層のラベルの両端の内側に位置しており、各ラベル裏面の、粘着される下層のラベルからはみ出した部分には剥離層がさらに設けられていること。【選択図】図１
0003150171.tif 000002
【実用新案登録請求の範囲】
【請求項１】
所定の事項が記載された表面には剥離層が設けられ、裏面にはその全面に粘着層が設けられた、同形状のラベルが複数積層されて構成されるラベル積層体であって、
各ラベルは、粘着される下層のラベルに対して、表面積の５％以下の範囲ではみ出して配置され、積層体は同方向に当該配置が繰り返されて構成されており、
最上層のラベルの一端は最下層のラベルの両端の内側に位置しており、
各ラベル裏面の、粘着される下層のラベルからはみ出した部分には剥離層がさらに設けられていることを特徴とする手貼り用ラベル積層体。
【請求項２】
積層されたラベルの枚数が１００枚以下であることを特徴とする請求項１に記載の手貼り用ラベル積層体。
【考案の詳細な説明】
【技術分野】
【０００１】
本考案は、表面に所定の事項を表示し、物品等に貼付して使用されるラベルの積層体に関する。
【背景技術】
【０００２】
従来より、例えば「天地無用」や「取り扱い注意」の表示など、物品などに貼り付けて使用される、手貼り用ラベルを積層したものが知られており、主として配送業者等において使用されている。
【０００３】
そのうち、もっとも一般的なものは、ラベルを揃えて積層し、各ラベル裏面には粘着層を有しない部分を設けたものである（図４参照。）。
しかしながら、このようなラベルでは、ラベルが揃えられて積層しているため、１枚ごとに素早く剥がすには手間がかかり、大量に素早く貼付作業するには問題がある。また、粘着層を有しない部分の面積が広く、物品等に貼り付けた後、摩擦などで簡単に捲れて剥がれてしまうという問題点もある（図５参照。）。
そこで、蛇腹状にラベルを積層した剥離ラベルが開示されている（特許文献１参照。）。
【０００４】
しかしながら、特許文献１に記載の技術では、積層体からラベルを剥離する方向が毎回逆方向になるため、連続して素早く剥がして物品に貼り付けるには適さない。さらに、この技術によっても、粘着層を有しない部分の面積が広く、物品等に貼り付けた後、摩擦などで簡単に捲れて剥がれてしまうという問題点がある。
【０００５】
さらに、各ラベルの裏面全面に粘着層を設け、ロール状に積層した技術もある（特許文献２参照。）。しかし、この技術は機械貼付には適しているが、大型となり、また全面が粘着層となるので手に粘着しやすく、１枚づつ剥がして手貼りで使用するには不向きである。
【先行技術文献】
【特許文献】
【０００６】
【特許文献１】特許第３７３５８４４号公報
【特許文献２】特許第３２０５８０４号公報
【考案の概要】
【考案が解決しようとする課題】
【０００７】
そこで、本考案の目的は、小型で手貼りに適しており、連続して素早く剥がして物品に貼り付けることが出来、物品等に貼り付けた後、摩擦などで簡単に捲れて剥がれることがないラベル積層体を提供することを目的とする。
【課題を解決するための手段】
【０００８】
当該目的を達成するため、本考案の手貼り用ラベル積層体は、所定の事項が記載された表面には剥離層が設けられ、裏面にはその全面に粘着層が設けられた、同形状のラベルが複数積層されて構成されるラベル積層体であって、各ラベルは、粘着される下層のラベルに対して、表面積の５％以下の範囲ではみ出して配置され、積層体は同方向に当該配置が繰り返されて構成されており、最上層のラベルの一端は最下層のラベルの両端の内側に位置しており、各ラベル裏面の、粘着される下層のラベルからはみ出した部分には剥離層がさらに設けられていることからなる。
また、積層されたラベルの枚数が１００枚以下であることが好適である。
【０００９】
本考案の手貼り用ラベル積層体は、所定の事項が記載された表面には剥離層が設けられ、裏面にはその全面に粘着層が設けられた、同形状のラベルを複数積層して構成されている。ラベル自体の形状は特に限定されず、円形・楕円形・多角形・星形・その他様々な形状のラベルを使用することができる。
所定の事項としては、例えば「天地無用」「取り扱い注意」「割れ物注意」など文字による情報のほかに、図形など何らかの情報を意味し、ラベル表面に記載される。そして、各ラベルは裏面に粘着層を、表面に剥離層を有し、物品や物品の包装に貼り付けられて使用される。
【００１０】
各ラベルは、粘着される下層のラベルに対して、表面積の５％以下の範囲ではみ出して配置され、積層体は同方向に当該配置が繰り返されて構成される。
すなわち、本考案の手貼り用ラベル積層体は、ラベルが揃えられて積層されているのではなく、少しずつ僅かに、同方向にずれて積層される。これにより、ラベル積層体から最上層のラベルを片手の指一本でもめくり上げることを可能とするものである。
【００１１】
また、ずらす範囲は、粘着される下層のラベルに対して、表面積の５％以下、好ましくは３％以下の範囲である。各ラベルをこれ以上大きくずらしてしまうと、ラベル枚数を多く積層したときに、ラベル積層体全体が広がってしまい手で取り扱いをするのが不便となるからである。
そして、最上層のラベルの一端は最下層のラベルの両端の内側に位置する。ここにおける「位置」の意味は、ラベル表面を上方から見たときの位置を意味し、全体としてのラベルのずれの範囲を限定する趣旨である。全体としてのラベルのずれをこの範囲に抑えることにより、片手でラベル積層体を容易に扱うことができるものである。なお、全体としてのラベル積層体の大きさを考慮すると、積層されたラベルの枚数は１００枚以下であることが好適である。
【００１２】
各ラベル裏面の、粘着される下層のラベルからはみ出した部分には剥離層がさらに設けられている。すなわち、各ラベルの裏面には、下層のラベルに対して少しはみ出ているため、その部分にさらに剥離層を設けたものである。
【００１３】
製造時には、各ラベル裏面の全面に粘着層を設け積層したあとに、ずれた部分にまとめて剥離層を設けることが好適である。剥離層はUV硬化型・水性・油性など種類を問わず、各種公知の剥離剤を塗布することで構成すればよい。なお、最下層のラベル裏面の粘着層には、手に張り付かないように、台紙を貼り付けても良いし、全面を剥離層としてラベル自体を台紙としても良い。
【００１４】
このような構成により、またラベル積層体を手で持ち、最上部のラベル１枚を指でめくり上げて剥がし、物品に貼り付ける作業を素早く繰り返すことが出来る。また、各ラベルの裏面には剥離層が存在するものの、その面積は表面積の５％以下であるため、物品に貼り付けられたラベルは、摩擦などで簡単にめくれて剥がれてしまうことがない。
【考案の効果】
【００１５】
本考案の以上の構成により、小型で手貼りに適しており、連続して素早く剥がして物品に貼り付けることが出来、物品等に貼り付けた後、摩擦などで簡単にめくれて剥がれることがない手貼り用ラベル積層体を提供することが出来る。
【図面の簡単な説明】
【００１６】
【図１】本考案の手貼り用ラベル積層体を示す斜視図である。
【図２】本考案の手貼り用ラベル積層体の構造を示す断面図である。
【図３】本考案の手貼り用ラベル積層体からラベルを剥がそうとしている図である。
【図４】従来のラベル積層体を示す図である。
【図５】従来のラベル積層体を構成する、各ラベルの裏面を示す図である。
【考案を実施するための形態】
【００１７】
本考案の実施の形態の一例を図面にしたがって説明する。
【００１８】
図１に示すように、本考案の手貼り用ラベル積層体１は、ラベル２が積層されて構成される。各ラベル２の表面には、「割れ物注意」など、所定の事項が記載されている。
そして、ラベル２は、粘着される下層のラベル２に対して、表面積の５％以下の範囲ではみ出して配置され、積層体は同方向に当該配置が繰り返されて構成されている。
【００１９】
図２に示すように、各ラベル２の基材となる紙９の表面には剥離層３が設けられ、裏面にはその全面に粘着層４が設けられている。そして、粘着される下層のラベルからはみ出した部分には剥離層５がさらに設けられている。
また、最上層のラベルの一端６は、手貼り用ラベル積層体１の表面を上から見た場合、最下層のラベルの両端（７，７’）の内側に位置している。このため、積層体は小型で取り扱いが容易となっている。さらに、最下層のラベルの裏面には全体に台紙８が貼り付けられている。
【００２０】
図３に示すように、本考案の手貼り用ラベル積層体１は、各ラベル２が下層のラベルと少しずれており、かつその部分の裏面は剥離層５となっているため、手貼り用ラベル積層体１を手で持ち、最上層のラベル２を片手の指でめくり上げて剥がすことが出来る。そのため、連続して次々にラベル２を剥がして物品又は物品の包装等に貼り付けることが出来る。また貼り付けられたラベルは、剥離層５の面積が表面積の５％以下と非常に僅かであるため、摩擦などで簡単に剥がれてしまうことがない。
【符号の説明】
【００２１】
１        手貼り用ラベル積層体
２        ラベル
３        剥離層
４        粘着層
５        剥離層
６        最上層のラベルの一端
７，７’  最下層のラベルの両端
８        台紙
９        紙
１０      従来のラベル積層体
１１      粘着層を有しない層
【図１】
0003150171.tif 000003
【図２】
0003150171.tif 000004
【図３】
0003150171.tif 000005
【図４】
0003150171.tif 000006
【図５】
0003150171.tif 000007